(57)【要約】【課題】歯車の不特定方向の移動を抑止し、アラーム時刻の正確な認識が可能なムーブメント装置及びこれを用いた目覚し時計を提供する。【解決手段】アラーム針９を移動させるアラーム車１５と、操作部１１からの駆動力を前記アラーム車１５に伝える輪列１７と、前記輪列１７に付勢を与える付勢ばね２１とを有する。さらに、前記付勢ばね２１に、前記輪列１７に当接する山状の凸部２９が形成され、前記輪列１７には、谷状で外向きの凹部３１ａが環状に形成され、前記凸部２９及び前記凹部３１ａが互いに嵌合する。【選択図】図５
2007292504.tif 000002
【特許請求の範囲】
【請求項１】
アラーム針を移動させるアラーム車と
操作部からの駆動力を前記アラーム車に伝える輪列と、
前記輪列に付勢を与える弾性体と、
を有することを特徴とする、ムーブメント装置。
【請求項２】
前記弾性体には、前記輪列に当接する山状の凸部が形成され、
前記輪列には、谷状で外向きの凹部が環状に形成され、
前記凸部及び前記凹部が互いに嵌合する
ことを特徴とする、請求項１に記載のムーブメント装置。
【請求項３】
前記輪列には、前記輪列の径より小さいカナが前記凹部と異なる平面上に形成されることを特徴とする、請求項１または２に記載のムーブメント装置。
【請求項４】
前記アラーム車の回転中心部が、前記弾性体の戻り力により時計盤の中心部と一致することを特徴とする、請求項１から３のいずれか１項に記載のムーブメント装置。
【請求項５】
請求項１から４のいずれか１項に記載のムーブメント装置を備える目覚し時計。
【発明の詳細な説明】
【技術分野】
【０００１】
本発明は、目覚し時計に関し、特に時計を駆動するムーブメント装置及びこれを用いた目覚し時計に関する。
【背景技術】
【０００２】
時計を動作させるために使用されるムーブメント装置では、内部に配置されるアラーム車や輪列などの各歯車が円滑に回転できるように、互いに噛み合う歯車の歯と歯との間に隙間（以下、バックラッシという。）が設けられ、また、歯車を保持する回転保持部と歯車の中心部との間に所定の空間（以下、クリアランスという。）が形成されている。
【０００３】
ここで、上述した内容について図面を参照して具体的に説明する。図６は上述したバックラッシ及びクリアランスを模式的に説明する平面図である。図６に示すようにそれぞれの歯車３５ａ、３５ｂの中心部には、例えば、丸穴や角穴等の穴部３７ａ、３７ｂが形成され、当該穴部３７ａ、３７ｂにはそれぞれ回転保持部３９ａ、３９ｂが貫通して保持される。その際、穴部３７ａ、３７ｂと回転保持部３９ａ、３９ｂとの間にはそれぞれ一定のクリアランス４１ａ、４１ｂが形成され、また、互いに噛み合う歯車３５ａ、３５ｂの歯と歯との間であって、歯同士が当接しない側にはバックラッシ４３が形成されている。
【０００４】
しかしながら、歯車同士の噛み合わせにおいて、円滑な回転動作を行わせるために形成されたバックラッシやクリアランスであるが、これにより、いわゆる歯車の噛み合い外れが生じることがある。例えば、クリアランスが設けられたことで、歯車は水平方向からわずかに傾くことになり、他の歯車と正確に噛みあわなくなるという問題点がある。
【０００５】
このような問題点を防止するために、特許文献１では、下板に一体形成されたクリックバネを、目安伝え車の内側に形成されたローレット部に係合わせ、さらに、アゲバネよりも大きな力で目安伝え車を押圧することで、目安伝え車の傾きを防止し、歯車同士の噛合状態を安定させる考案が開示されている。
【特許文献１】実開平５−３０７９０号公報
【発明の開示】
【発明が解決しようとする課題】
【０００６】
しかしながら、上述したバックラッシやクリアランスによって、歯車が正確に位置決めができないという問題点もある。すなわち、回転保持部に保持された歯車はクリアランスがあるために回転する際の回転中心が一定せず、不特定方向に移動してしまうという事象が生じる。
【０００７】
また、回転する一方の歯車の歯が他方の歯車の歯に当接するまでに、バックラッシにより回転方向に遊びができるため、歯車が位置ずれしてしまうという問題点もある。このような問題点によって、例えば、アラーム車の回転に連動して移動するアラーム針は、本来設定したいアラーム時刻目盛りに対して位置ずれが生じてしまい、不正確な位置を指し示してしまうという事象が生じる。このため、使用者は、誤ったアラーム時刻の認識をしてしまうことや、アラーム時刻の設定がしづらいという意見もあった。
【０００８】
本発明は上述した問題点に鑑みてなされたものであり、歯車の不特定方向の移動を抑止するとともに、歯車同士の歯の噛み合わせを良くし、アラーム時刻の正確な認識が可能なムーブメント装置及びこれを用いた目覚し時計を提供する。
【課題を解決するための手段】
【０００９】
上述した問題点を解決するために、本発明のムーブメント装置は、アラーム針を移動させるアラーム車と、操作部からの駆動力を前記アラーム車に伝える輪列と、前記輪列に付勢を与える弾性体とを有することを特徴とする。このような構成により、輪列を介して弾性体の戻り力がアラーム車に加えられ、アラーム車の穴部と回転保持部とが当接し、クリアランスが一方に固定されるためアラーム車の不特定な移動を抑止できる。
【００１０】
また、本発明は、前記弾性体に、前記輪列に当接する山状の凸部が形成され、前記輪列には、谷状で外向きの凹部が環状に形成され、前記凸部及び前記凹部が互いに嵌合することを特徴とする。このような構成により、輪列の間欠的な動作が可能となり、さらには、アラーム車に取り付けられたアラーム針の間欠的な動作が可能となる。
【００１１】
また、本発明は、前記輪列には、前記輪列の径より小さいカナが前記凹部と異なる平面上に形成されることを特徴とする。このような構成により、アラーム車の回転動作を制御することができ、また、ムーブメント装置全体の構成を小型化できる。
【００１２】
また、本発明は、前記アラーム車の回転中心部が、前記弾性体の戻り力により時計盤の中心部と一致することを特徴とする。このような構成により、時計盤上におけるアラーム針の中心位置がずれるという問題点を防止できる。
【００１３】
また、本発明は、上述したムーブメント装置を備える目覚し時計である。このような目覚し時計によって、使用者はアラーム時刻の正確な認識が可能となる。
【発明の効果】
【００１４】
本発明に係るムーブメント装置によれば、弾性体によって歯車の不特定方向の移動が抑止できることになり、さらには、歯車の歯同士の噛み合わせも良好となる。さらには、本発明に係るムーブメント装置を目覚し時計に内蔵することで、使用者はアラーム時刻の正確な認識が可能となる。
【発明を実施するための最良の形態】
【００１５】
以下、本発明の実施の形態について、図面を参照して具体的に説明する。
【００１６】
図１は、本発明の実施の形態にかかる目覚し時計１の正面図である。図１において、目覚し時計１は、時刻を表示する長針３及び短針５と、目覚し時計１の略中心部に内蔵され、目覚し時計１を動作させるムーブメント装置７と、アラームを発生させる時刻を表示するアラーム針９と、当該アラーム針９を移動させる操作部１１とを備える。
【００１７】
操作部１１は、例えば、回転体等であり、矢印に示すように当該回転体を左回りまたは右回りに回転させることで、アラーム針９の操作が可能となる。すなわち、このような操作をすることによって、アラーム針９は、操作部１１から駆動力を得て、時計回りまたは反時計回りに移動し、アラーム時刻の設定が可能となる。
【００１８】
より詳細には、例えば、回転体の回転動作が間欠的に区切られており、回転体を１４４回連続して左回りまたは右回りに操作することで、回転体が１回転するような場合、アラーム針９は当該回転体に連動して２．５°づつの間隔で間欠的に移動する。このようにアラーム針９が移動することで、アラーム時刻は５分間隔で設定されることになる。
【００１９】
図２は、上述したムーブメント装置７の平面図である。図２に示すように、ムーブメント装置７は、保持部材１３の内部にアラーム針９を移動させるアラーム車１５と、アラーム車１５に操作部１１からの駆動力を伝える輪列１７と、弾性体であって、保持部材１３の外枠１９に形成され、輪列１７に当接する付勢ばね２１とを備える。
【００２０】
輪列１７は一又は複数の歯車であって、輪列１７には環状に一定の間隔で配置された谷状の凹部が外向きに配置される。当該凹部は、後述する付勢ばね２１に形成される凸部と嵌め合わさる。また、輪列１７には自身の径よりも小さな歯車であって、凹部と異なった平面上にカナ２３が一体形成され、当該カナ２３の歯とアラーム車１５の歯とが噛み合う。このような構成を有することで、操作部１１から輪列１７に駆動力が加えられると、その駆動力はカナ２３を介して、アラーム車１５に伝播することになる。
【００２１】
次に、上述した付勢ばね２１の形状について、図面を参照して詳細に説明する。図３は、付勢ばね２１の斜視図である。図３に示すように、付勢ばね２１は、概ねＬ字型の形状を有しており、Ｌ字型の底部２４には、保持部材１３の外枠１９と接合する保持部２５が形成される。保持部２５は幅方向に延出しており、保持部２５には、外枠１９に形成される図示しない溝部と係留めするための貫通穴２７が適宜設けられる。
【００２２】
一方、Ｌ字型をした付勢ばね２１の底部２４と頂部２６との長手方向の概ね中心部には、Ｌ字型の底部２４と逆向きに山型に突出した凸部２９が形成されている。当該凸部２９は、輪列１７に形成された各凹部と嵌め合わさる。このような形状を有する付勢ばね２１は、保持部２５が固定された状態で頂部２６の幅方向に一定の力を加えると、当該力を戻す方向に戻り力が発生する。なお、付勢ばね２１の材質は、鉄やプラスチック等適宜選択可能である。
【００２３】
さらに、付勢ばね２１と輪列１７の動作について、図４を参照して説明する。図４は、付勢ばね２１と輪列１７の動作を模式的に示す平面図である。なお、図３に示される付勢ばね２１の各部と同様の構成には同一符号を付し、その説明を省略する。また、後述する図面についても同様とする。
【００２４】
図４（ａ）に示すように、付勢ばね２１の凸部２９は、輪列１７の凹部３１ａに嵌め合わさり、一定の力で輪列１７を押す。このような状況において、輪列１７が、例えば、矢印のように時計回りに回転しようとすると、凸部２９は当該凹部３１ａに当接しながら滑るように抜け出す。
【００２５】
凹部３１ａから抜け出た凸部２９は、図４（ｂ）に示すように、輪列１７の凹部３１ａと凹部３１ｂとの間を滑りながら、かつ、一定の戻り力を輪列１７に与える。その後、凸部２９は、図４（ｃ）に示すように、輪列１７の次の凹部３１ｂに嵌め合わさる。したがって、このような動作を繰り返すことにより、輪列１７は間欠的に回転しながら、操作部１１からの駆動力はカナ２３を介してアラーム車１５に伝えることになる。
【００２６】
図５は、本実施形態に係るアラーム車１５の平面図である。図５に示すように、アラーム車１５の穴部３４と保持部材３３に形成される回転保持部３５の中心部とが一致していない。すなわち、アラーム車１５と回転保持部３５との間に形成されるクリアランス３６の分だけ、アラーム車１５は位置ずれしており、当該位置ずれは、付勢ばね２１の戻り力が輪列１７を介してアラーム車１５に伝播して形成されたものである。すなわち、回転保持部３３とアラーム車１５の穴部３４とは、付勢ばね２１に押されることで、常に一点で当接することになる。
【００２７】
このような状況下において、輪列１７が、例えば時計回りに間欠的に回転すると、付勢ばね２１の戻り力をカナ２３を介しながら、アラーム車１５に駆動力を伝える。アラーム車１５の穴部３４は、回転保持部３３と当接しながら、回転すすることになり、従来のような不特定方向の移動は抑止され、回転中心位置が一定に保たれることになる。
【００２８】
したがって、アラーム車１５の不特定方向の移動が抑止されることとなれば、アラーム車１５に形成されるアラーム針９が時計盤の中心位置に配置させることも可能である。すなわち、予めアラーム車１５の穴部３４と回転保持部３３との間に形成されるクリアランス分を考慮して、回転保持部３３とアラーム車１５との位置決めをすればよいことになる。また、付勢ばね２１の戻り力により、カナ２３とアラーム車１５との噛み合わせが良好となり、歯車同士の噛み合い外れも防止可能となる。
【００２９】
さらに、本発明は、上述した実施形態に限定されるものではなく、その要旨を逸脱しない範囲内で種々変形して実施することが可能である。
【産業上の利用可能性】
【００３０】
以上、説明したように、本発明に係るムーブメント装置は、バックラッシやクリアランスによるアラーム針の位置ずれを防止でき、さらには、使用者のアラーム時刻の誤認を防止が可能となり、産業上の利用可能性が高い。
【図面の簡単な説明】
【００３１】
【図１】図１は、本発明の実施の形態に係る目覚し時計の正面図である。
【図２】図２は、ムーブメント装置の平面図である。
【図３】図３は、付勢バネの斜視図である。
【図４】図４は、付勢ばねと輪列の動作を模式的に示す平面図である。
【図５】図５は、付勢バネが輪列を付勢する様子を示す平面図である。
【図６】図６は、バックラッシ及びクリアランスを模式的に示す平面図である。
【符号の説明】
【００３２】
１  目覚し時計
３  長針
５  短針
７  ムーブメント装置
９  アラーム針
１１  操作部
１３  保持部材
１５  アラーム車
１７  輪列
１９  外枠
２１  付勢ばね
２３  カナ
２４  底部
２５  保持部
２６  頂部
２７  貫通穴
２９  凸部
３１ａ、３１ｂ  凹部
３３、３９ａ、３９ｂ  回転保持部
３４、３７ａ、３７ｂ  穴部
３５ａ、３５ｂ  歯車
３６、４１ａ、４１ｂ  クリアランス
４３  バックラッシ
【図１】
2007292504.tif 000003
【図２】
2007292504.tif 000004
【図３】
2007292504.tif 000005
【図４】
2007292504.tif 000006
【図５】
2007292504.tif 000007
【図６】
2007292504.tif 000008